(57)【要約】【課題】隣り合うバスダクト相互の間隔を最小限に抑えることが可能で、バスダクトの配設空間の省スペース化を図ることができるバスダクト支持方式を提供する。【解決手段】構造物の略垂直方向に並設される複数系統のバスダクトを支持する方式であって、構造物に対して固設される支持部で各バスダクトを支持し、一のバスダクトを支持する支持部と前記一のバスダクトと隣り合う他のバスダクトを支持する支持部がバスダクトの長手方向にずらして設けられているバスダクト支持方式である。例えば構造物の複数階に貫通して並設されたバスダクトについて、第一の階で一のバスダクトを支持部で支持し且つ他のバスダクトを支持部で支持せず、第一の階の一つ上階の第二の階で前記他のバスダクトを支持部で支持し且つ前記一のバスダクトを支持部で支持しない構成とする。【選択図】図１
2011015607.tif 000002
【特許請求の範囲】
【請求項１】
構造物の略垂直方向に並設される複数系統のバスダクトを支持する構造であって、
前記構造物の床面に基台を介して固設される支持部により前記複数系統のバスダクトが支持され、
一のバスダクトを支持する一の支持部と前記一のバスダクトの隣の別のバスダクトを支持する別の支持部とをバスダクトの長手方向にずらして設けられることを特徴とするバスダクト支持構造。
【請求項２】
前記一の支持部が一の基台に固定され、前記別の支持部が別の基台に固定されることを特徴とする請求項１記載のバスダクト支持構造。
【請求項３】
バスダクトは少なくとも２系統以上敷設され、前記一の支持部と前記別の支持部とが交互に千鳥配置されることを特徴とする請求項１又は２記載のバスダクト支持構造。
【請求項４】
バスダクトは少なくとも３系統以上敷設され、正面視で、隣り合う３つの支持部がデルタ状に配置されることを特徴とする請求項１又は２記載のバスダクト支持構造。
【請求項５】
前記基台に少なくともバスダクトの略水平方向の振れを規制する振止部が設けられることを特徴とする請求項１〜４何れかに記載のバスダクト支持構造。
【請求項６】
前記振止部は、正面視前面に設けられることを特徴とする請求項５記載のバスダクト支持構造。
【発明の詳細な説明】
【技術分野】
【０００１】
本発明は、高層ビル等の構造物で電気幹線路を構成するバスダクトに係り、主として垂直方向に設けられる少なくとも２系統以上のバスダクトを支持するバスダクト支持方式及びバスダクト支持装置に関する。
【背景技術】
【０００２】
高層ビル等に垂直方向に布設されるバスダクトを支持するためにバスダクト支持装置が用いられるが、バスダクト支持装置には、バスダクトがケーブルと異なり大きな荷重や剛性を有することや、通電使用時や不使用時等の温度変化によりバスダクトが伸縮することに配慮したものがある。
【０００３】
バスダクト支持装置によるバスダクト支持方式の関連技術に、特許文献１の垂直バスダクト線路の支持方式がある。前記垂直バスダクト線路の支持方式は、高層建築物の各床をほぼ垂直方向に貫通するバスダクト線路にあって、各床の支持部において該床部には支持金具を植設し、一方バスダクト側部には腕部を突設し、該腕部を支持金具にバネを介して載架させることによりバスダクトをその全布設区間でバネ支持せしめ、バスダクトの伸縮を吸収するようにし、これらバネ支持部の適宜支持部において、バスダクトの上方移動を制限するように装架される第二のバネを設けてなるものである。
【０００４】
また、バスダクトの支持以外の関連技術として、特許文献２には、密着型絶縁バスダクトのハウジングを、その側面に張り出し縁のない略箱形に構成し、その複数系統を接続部の位置を食い違わせて並列に配置し、その接続部と隣り合うバスダクトとの間隔を施工作業上必要とする最小の寸法にしたバスダクト装置が開示されている。
【０００５】
また、バスダクトの支持以外の別の関連技術として、特許文献３には、伸縮函体をバスダクト本体の高さ寸法だけ上面又は下面に押し上げ又は押し下げて設けたエキスパンションバスダクトが開示されており、又、各々の系統のエキスパンション部をずらして取り付けた構成が開示されている。
【先行技術文献】
【特許文献】
【０００６】
【特許文献１】特開昭５４−６６４９１号
【特許文献２】実開昭５２−１１５９００号
【特許文献３】実公昭４３−１１８７６号
【発明の概要】
【発明が解決しようとする課題】
【０００７】
しかし、特許文献１のバスダクト支持方式は、各床を貫通して垂直方向に布設される一系統のバスダクトを支持するために、全ての階の床部に支持金具やバネなどからなるバネ支持部が設けられる構成であるが、高層ビル等で垂直方向に設けられるバスダクトは分岐の便宜等から複数系統設けられる場合も多い。そして、垂直方向に設けられる２系統以上のバスダクトを前記バスダクト支持方式で支持する場合には、バネ支持部を隣り合わせて設置するために必要な距離や隣り合うバネ支持部の設置作業を行うのに必要な距離を確保することが要求され、隣り合うバスダクト相互間に十分な距離を確保してバスダクトを設けることが必要となる。そのため、バスダクトの配設空間に無駄なスペースが生ずるという不具合がある。この無駄な配設空間は系統数が増えれば増える程より顕著に現れる。
【０００８】
また、上記バスダクト支持方式では、垂直方向に布設される一系統のバスダクトを支持するために、建築物の各階毎に支持金具やバネ等からなるバネ支持部の設置作業を行う必要があるため、設置作業に多大な労力を要し、特に垂直方向に設けられるバスダクトが複数系統となり、更にはその系統が増加するに従って、又は建築物が高層化してその階数が増加するに従って、設置作業に要する労力は膨大なものとなり、施工性に劣る欠点が増幅され、人件費等の施工コストが増加する。
【０００９】
また、上記バスダクト支持方式では、一系統のバスダクトを支持するために建築物の各階毎に支持金具やバネ等からなるバネ支持部を設置することから、多くの支持金具やバネ等を必要とし、特にバスダクトが複数系統となり、更にはその系統が増加するに従って、又建築物が高層化してその階数が増加するに従って、より多くの支持金具やバネ等を必要とし、バネ支持部の製造コストや調達コストが増加するという不具合がある。
【００１０】
本発明は上記不具合を解消するためになされたものであって、高層ビル等の構造物で垂直方向に設けられる複数系統のバスダクトの支持に関し、隣り合うバスダクト相互の間隔を最小限に抑えることが可能で、バスダクトの配設空間の省スペース化を図ることができる、換言すれば従来は複数系統のバスダクト布設困難な小スペースの箇所でも、複数系統のバスダクトを布設することを可能にし、容易に支持することができるバスダクト支持方式及びバスダクト支持装置を提供することを目的とする。
【００１１】
また、本発明の他の目的は、従来のバスダクト支持装置によるバスダクトの支持に於いては、複数系統のバスダクトを支持する各系統分の支持装置の固設に必要な空間を床面上に確保することができない場合であっても、容易に構造物の小スペースの固設空間に支持部を固設して、バスダクトを支持することができるバスダクト支持方式及びバスダクト支持装置を提供することを目的とする。
【００１２】
また、本発明の他の目的は、高層ビル等の構造物で垂直方向に設けられる複数系統のバスダクトを安価且つ優れた施工性で支持することができるバスダクト支持方式及びバスダクト支持装置を提供することにある。
【課題を解決するための手段】
【００１３】
本発明のバスダクト支持方式は、構造物の略垂直方向に並設される複数系統のバスダクトを支持する方式であって、該構造物に対して固設される支持部で各バスダクトを支持し、一のバスダクトを支持する該支持部と該一のバスダクトと隣り合う他のバスダクトを支持する該支持部が該バスダクトの長手方向にずらして設けられていることを特徴とする。又は、２系統以上のバスダクトが構造物に垂直方向に布設され、布設された各バスダクトが構造物に適宜間隔で設けた複数の支持部で支持され、隣り合うバスダクトの支持部が長手方向にずらして設けられるバスダクト支持方式とする。
【００１４】
さらに、本発明のバスダクト支持方式は、前記バスダクトが前記構造物の複数階に貫通して並設され、第一の階で前記一のバスダクトが前記支持部で支持され且つ前記他のバスダクトが前記支持部で支持されていないと共に、第一の階の一つ上階の第二の階で前記他のバスダクトが前記支持部で支持され且つ前記一のバスダクトが前記支持部で支持されていないことを特徴とする。又は、隣り合うバスダクトの支持部が１階置きに交互に設けられるバスダクト支持方式とする。
【００１５】
また、本発明のバスダクト支持方式は、構造物の複数階に貫通して略垂直方向に並設される複数系統のバスダクトを支持する方式であって、前記構造物に対して固設される複数の支持部により前記複数系統のバスダクトを支持し、一のバスダクトを支持する一の支持部と前記一のバスダクトの隣の他のバスダクトを支持する他の支持部とを前記一のバスダクト及び前記他のバスダクトの長手方向にずらして設け、第一の階の天井に固設される前記一の支持部により前記一のバスダクトを支持すると共に、前記第一の階の一つ上の第二の階の床に固設される前記他の支持部により前記他のバスダクトを支持することを特徴とする。又は、天井の支持部と床の支持部を逆にして、第一の階で前記一のバスダクトが床に固設された前記支持部で支持され、第二の階で前記他のバスダクトが天井に固設された前記支持部で支持されるバスダクト支持方式とすることも可能である。又は、隣り合うバスダクトの支持部が各階の天井と床に交互に設けられるバスダクト支持方式とする。
【００１６】
さらに、本発明のバスダクト支持方式は、所定のバスダクトの振れを規制する振止部が設けられることを特徴とする。例えば、略同一高さや略同一階等で、前記一のバスダクト若しくは前記他のバスダクトを前記支持部で支持し、前記他のバスダクト若しくは前記一のバスダクトを振止部でその振れを規制する。
【００１７】
さらに、本発明のバスダクト支持方式は、前記振止部は、前記一のバスダクト若しくは前記他のバスダクトを支持する支持部に設けられ、前記他のバスダクト若しくは前記一のバスダクトの振れを規制することを特徴とする。前記他のバスダクト若しくは前記一のバスダクトの振れを規制する振止部を前記一のバスダクト若しくは前記他のバスダクトを支持する支持部に設ける。
【００１８】
また、本発明のバスダクト支持方式は、構造物の略垂直方向に向きを合わせて並設される複数系統のバスダクトを支持する方式であって、該構造物に対して固設される、バスダクト幅方向端部で支持する第一支持部若しくはバスダクト厚さ方向端部で支持する第二支持部で各バスダクトを支持し、略同一高さ若しくは同一階に於いて、一のバスダクトを該第一支持部で支持すると共に、該一のバスダクトと隣り合う他のバスダクトを該第二支持部で支持することを特徴とする。構造物の略垂直方向に並設される複数系統のバスダクトを支持する方式で、構造物に対して固設される支持部で各バスダクトを支持するものとし、支持部として、バスダクト幅方向端部で支持する第一支持部と、バスダクト厚さ方向端部で支持する第二支持部を設け、一のバスダクトを該第一支持部で支持し、該一のバスダクトと隣り合う他のバスダクトを該第二支持部で支持する。
【００１９】
また、本発明のバスダクト支持方式は、構造物の略垂直方向に並設される複数系統のバスダクトを支持する方式であって、前記バスダクトの幅方向側に位置し、前記バスダクトを支持するように前記構造物に対して配設される第一支持部と、前記バスダクトの厚さ方向に位置し、前記バスダクトを支持するように前記構造物に対して配設される第二支持部とを具え、略同一高さの支持箇所に於いて、一のバスダクトを前記第一支持部で支持すると共に、前記一のバスダクトの隣の他のバスダクトを前記第二支持部で支持し、前記略同一高さの一つ上若しくは一つ下の支持箇所に於いて、前記一のバスダクトを前記第二支持部で支持すると共に、前記他のバスダクトを前記第一支持部で支持することを特徴とする。
【００２０】
また、本発明のバスダクト支持方式は、構造物の略垂直方向に並設される複数系統のバスダクトを支持する方式であって、前記バスダクトの幅方向側に位置し、前記バスダクトを支持するように前記構造物に対して配設される第一支持部と、前記バスダクトの厚さ方向側に位置し、前記バスダクトを支持するように前記構造物に対して配設される第二支持部とを具え、略同一高さに於いて、一のバスダクトを前記第一支持部で支持すると共に、前記一のバスダクトの隣の他のバスダクトを前記第二支持部で支持し、前記第一支持部と前記第二支持部との支持力を異なる設定にすることを特徴とする。
【００２１】
また、本発明のバスダクト支持方式は、前記第一支持部が前記バスダクトの幅方向側の両端部の一方を支持すると共に、前記第二支持部が前記バスダクトの厚さ方向側の両端部を支持する、若しくは、前記第一支持部が前記バスダクトの幅方向側の両端部を支持すると共に、前記第二支持部が前記バスダクトの厚さ方向側の両端部の一方を支持する、若しくは、前記第一支持部が前記バスダクトの幅方向側の両端部を支持すると共に、前記第二支持部が前記バスダクトの厚さ方向側の両端部を支持することを特徴とする。
【００２２】
さらに、本発明のバスダクト支持方式は、前記バスダクトが前記構造物の複数階に貫通して並設され、第一の階で前記一のバスダクトが前記第一支持部で支持され且つ前記他のバスダクトが前記第二支持部で支持されると共に、第一の階の一つ上階の第二の階で前記他のバスダクトが前記第一支持部で支持され且つ前記一のバスダクトが前記第二支持部で支持されることを特徴とする。
【００２３】
さらに、本発明のバスダクト支持方式は、少なくとも、バスダクト幅方向の一方の端部のみに第一支持部を構成する第一支持装置を設けてバスダクトを支持する箇所、若しくはバスダクト厚さ方向の一方の端部のみに第二支持部を構成する第二支持装置を設けてバスダクトを支持する箇所を有することを特徴とする。
【００２４】
また、本発明のバスダクト支持構造は、構造物の略垂直方向に並設される複数系統のバスダクトを支持する構造であって、前記構造物の床面に基台を介して固設される支持部により前記複数系統のバスダクトが支持され、一のバスダクトを支持する一の支持部と前記一のバスダクトの隣の別のバスダクトを支持する別の支持部とをバスダクトの長手方向にずらして設けられることを特徴とする。
【００２５】
また、本発明のバスダクト支持構造は、前記一の支持部が一の基台に固定され、前記別の支持部が別の基台に固定されることを特徴とする。
【００２６】
また、本発明のバスダクト支持構造は、バスダクトは少なくとも２系統以上敷設され、隣り合う２つの支持部が千鳥配置されることを特徴とする。
【００２７】
また、本発明のバスダクト支持構造は、バスダクトは少なくとも３系統以上敷設され、正面視で、隣り合う３つの支持部がデルタ状に配置されることを特徴とする。
【００２８】
また、本発明のバスダクト支持構造は、前記基台に少なくともバスダクトの略水平方向の振れを規制する振止部が設けられることを特徴とする。
【００２９】
また、本発明のバスダクト支持構造は、前記振止部は、正面視前面に設けられることを特徴とする。
【００３０】
また、本発明のバスダクト支持装置は、構造物に対して固設され、該構造物の略垂直方向に布設されるバスダクトを支持する装置であって、該バスダクトを支持する支持装置の本体に、該バスダクトと隣り合って並設される他のバスダクトの振れを規制する振止部が設けられていることを特徴とする。構造物の略垂直方向に布設される複数系統のバスダクトを支持する装置を、一のバスダクトを支持する支持装置の本体と、該一のバスダクトと隣り合う他のバスダクトの振れを規制する振止部とを有し、該振止部が該本体に設けられているものとする。
【００３１】
尚、第一支持部と第二支持部とは、或いは第一支持部を構成する第一支持装置と第二支持部を構成する第二支持装置とは、バスダクトを支持する支持力が同一である構成としてもよいが、例えば第一支持部と第二支持部とで、或いは第一支持部を構成する第一支持装置と第二支持部を構成する第二支持装置とで、バスダクトを支持するバネ材の量が異なるものとする、或いはバネ材の支持力（バネ定数）が異なるもの等とし、第一支持部と第二支持部とで、或いは第一支持部を構成する第一支持装置と第二支持部を構成する第二支持装置とで、バスダクトを支持する支持力が異なる構成としてもよい。
【００３２】
また、第一支持部は、バスダクトの幅方向の両端部にそれぞれ第一支持装置を設けて構成する、若しくはバスダクトの幅方向の一方の端部に第一支持装置を設けて構成する等が可能であり、又、第二支持部は、バスダクトの厚さ方向の両端部にそれぞれ第二支持装置を設けて構成する、若しくはバスダクトの厚さ方向の一方の端部に第二支持装置を設けて構成する等が可能である。また、バスダクトの長手方向に於いて適宜の間隔で第一支持部や第二支持部等の支持部を設ける際に、適宜箇所のバスダクトの幅方向若しくは厚さ方向の端部に於いて、両端部若しくは一方の端部に第一支持装置や第二支持装置等の支持装置を設けたものとすることが可能であり、又各バスダクトを適宜箇所で支持する複数の支持部の支持力を異なるものとすることが可能である。例えば第一支持装置若しくは第二支持装置若しくは両者をバスダクトの長手方向へ一方の端部と他方の端部に交互に設ける、或いはバスダクトの長手方向に螺旋状に支持装置を設けること等が可能である。
【００３３】
本発明のバスダクト支持方式は、例えば並列に且つ垂直方向に布設される２系統以上のバスダクトを、隣り合うバスダクト相互間で長手方向にずれた位置に設けられた支持部で支持することにより、例えばバスダクト相互間の距離を少なくとも一つのバスダクトを支持する支持部或いは支持部を構成する支持装置一基の設置スペース或いは設置作業可能なスペースを確保すれば良く、バスダクトの並設間隔或いは布設間隔を最小限に抑えることができ、無駄な空間を確保する必要が無くなる。そのため、従来は複数系統のバスダクトを布設できなかった空間であっても、容易に複数系統のバスダクトを布設し、支持することが可能となる。
【００３４】
また、第一の階で一のバスダクトを支持部で支持し且つ他のバスダクトを支持せず、第二の階で他のバスダクトを支持部で支持し且つ一のバスダクトを支持しない構成、又は隣り合うバスダクトの支持部を１階置きに交互に設ける構成により、上記並設空間、更には支持部の固設空間を最小限にして無駄な空間を無くすことができることに加え、一つのバスダクトに対して各階毎に支持部を設ける必要が無く、換言すれば各階の支持部をバスダクト毎に設ける必要が無く、製造コスト及び施工作業を極力削減することができる。
【００３５】
また、各階に設置して各バスダクトを支持する支持部は、例えば全て床に設ける、或いは全て天井に設ける構成としても良いが、例えば第一の階で一のバスダクトを天井に固設した支持部で支持し、第二の階で他のバスダクトを床に固設した支持部で支持する、又は隣り合うバスダクトの支持部を各階毎の天井と床に交互に設ける等の構成とすることにより、上記並設間隔、更には支持部の固設空間を最小限にして無駄な空間を無くすることができ、更には製造コスト及び施工作業を極力削減することを可能にすると共に、多様なバスダクトの支持を実現して施工現場に適応したバスダクトの支持を行うことができる。例えば、設備が設けられている等により、任意の階にてバスダクトを支持する支持部を固設する空間が床に無い場合には、任意の階の一つ下階の天井に固設した支持部でそのバスダクトを支持する等、施工現場の状況に応じて対応することができる。
【００３６】
また、例えば略同一高さ或いは略同一階に於いて、支持部により支持されたバスダクトと隣り合うバスダクトに、バスダクトの少なくとも略水平方向への振れを規制する振止部を設ける等、必要に応じて、所定のバスダクトの振れを規制する規制部を設けることにより、上記並設間隔、更には支持部の固設空間を最小限にして無駄な空間を無くすことができる、製造コスト及び施工作業を極力削減することを可能にする、或いは多様なバスダクトの支持を実現して施工現場に適用したバスダクト支持を可能とすることができることに加え、例えば任意の階で支持部で支持されていないバスダクトの振れを無くす或いは最小限にすることが可能となる。さらに、前記振止部を前記支持部或いは支持部を構成する支持装置に設けると好適であり、前記支持されていないバスダクトに対して別途振止部を設ける必要が無くなりコストダウンが可能になる。尚、振止部は、例えば同一階で支持部が設けられていない全箇所若しくは一部の所要箇所、或いは全階若しくは所要階に設けてよい。
【００３７】
また、例えば並列に且つ垂直方向に布設される２系統以上のバスダクトを支持部で支持する方式で、略同一高さ或いは同一階に於いて、一のバスダクトをバスダクト幅方向端部で第一支持部により支持し、一のバスダクトと隣り合う他のバスダクトをバスダクト厚さ方向端部で第二支持部により支持する構成により、隣り合う支持部の例えばバネ材等が干渉することが無くなり、バスダクトの並設間隔、更には支持部の固設空間を最小限にして無駄な空間を無くすことができる。さらには、第一支持部や第二支持部等の支持部を各階毎若しくは垂直方向の適宜の間隔毎に設ける、或いは各階の床若しくは天井に設けることにより、例えば各階の或いは任意の階の天井が高い場合等にも対応し、バスダクトの垂直方向の所要間隔毎に支持部を設けることが可能となり、又容量が大きく重量が重いバスダクトの支持や、多様な種類のバスダクトの支持に容易に対応することが可能となる。
【００３８】
また、第一の階で一のバスダクトを第一支持部で支持し且つ他のバスダクトを第二支持部で支持し、第二の階で他のバスダクトを第一支持部で支持し且つ一のバスダクトを第二支持部で支持する構成、又は隣り合うバスダクトの第一支持部と第二支持部を１階置きに交互に設ける構成により、バスダクトの並設間隔、更には支持部の固設空間を最小限にして無駄な空間を無くすことができる。さらには、第一支持部や第二支持部等の支持部を各階毎に設ける、或いは各階の床若しくは天井に設けることにより、例えば各階の或いは任意の階の天井が高い場合等にも対応し、バスダクトの垂直方向の所要間隔毎に支持部を設けることが可能となり、又容量が大きく重量が重いバスダクトの支持や、多様な種類のバスダクトの支持に容易に対応することが可能となる。
【００３９】
また、第一支持部を前面等のバスダクト幅方向の一方の端部側だけで支持する、第二支持部を側面等のバスダクト厚さ方向の一方の端部側だけで支持するなど、バスダクト幅方向の一方の端部のみに第一支持部を構成する第一支持装置を設けてバスダクトを支持する箇所、若しくはバスダクト厚さ方向の一方の端部のみに第二支持部を構成する第二支持装置を設けてバスダクトを支持する箇所を設けることにより、面倒な裏側の施工など手の届きにくい箇所への支持装置の設置を省くことが可能となり、施工性を向上し、コストダウンを図ることができる。略同一高さ或いは同一階に於いて、複数並設したバスダクトの平面視外周に位置する所要箇所の支持装置の施工を省略するとよい。
【発明の効果】
【００４０】
本発明のバスダクト支持方式或いはバスダクト支持装置を使用することによって、高層ビル等の構造物で垂直方向に設けられる複数系統のバスダクトの支持に関し、隣り合って設けられるバスダクト相互の間隔を最小限に抑えることが可能となり、バスダクトの配設空間の省スペース化を図ることができるという効果を奏する。換言すれば従来は複数系統のバスダクトを布設することが困難な或いは不可能な小スペースの箇所でも、容易に複数系統のバスダクトを布設することを可能にし、支持することができる。
【００４１】
また、本発明のバスダクト支持方式或いはバスダクト支持装置は、従来のバスダクト支持装置によるバスダクトの支持に於いては、複数系統のバスダクトを支持する各系統分の支持装置の固設に必要な空間を床面上に確保することができない場合であっても、容易に構造物の小スペースの固設空間に支持部を固設して、バスダクトを支持することができる効果を奏する。
【００４２】
例えば、垂直方向に設けられるバスダクト相互に於いて、支持部を隣り合わせて支持する必要がないため、或いは支持部が干渉しないように設けられるため、隣り合うバスダクト相互間に支持部を隣り合わせて設置するために必要な距離、或いは隣り合うバスダクト相互間に支持部を同一の向きで隣り合わせて設置するために必要な距離や、或いは隣り合う支持部或いは同一の向きで隣り合う支持部の設置作業を行うのに必要な距離等の無駄な距離を確保する必要が無くなり、所要の支持部の設置空間の確保及びその設置作業の労力軽減のために所要のスペース等の最低限の空間を確保しながら、隣り合うバスダクト相互の間隔を最小限に抑えることが可能であり、バスダクトの配設空間の省スペース化を図ることができる。特に、布設されるバスダクトの系統が増加するに従って、配設空間の省スペース化の有利性はより顕著となる。
【００４３】
また、本発明のバスダクト支持方式或いはバスダクト支持装置を使用することにより、高層ビル等の構造物で垂直方向に設けられる複数系統のバスダクトを安価に且つ優れた施工性で容易に支持することができるという効果を奏する。
【００４４】
例えば、第１実施例から第３実施例のバスダクト支持方式を使用することにより、垂直方向に設けられる複数系統のバスダクトを支持する際に、一系統のバスダクトの支持について、高層ビル等の全ての階に支持部或いは支持装置を設置する必要が無く、従来のバスダクト支持方式に比べて約半分の数の支持部或いは支持装置を建築物の一部の階に設置して支持することが可能であることから、バスダクトを支持する作業や支持部或いは支持装置の設置作業に要する労力を軽減することができ、優れた施工性を発揮することができると共に、人件費等の施工コストを低減することができる。特に、バスダクトの系統が増加するに従って、又は建築物が高層化してその階数が増加するに従って、施工に関する労力や施工コストの低減等の有利性はより顕著になる。
【００４５】
更に、従来のバスダクト支持方式に比べて、例えば第１実施例から第３実施例のバスダクト支持方式では、約半分の数の支持部或いは支持装置で複数系統のバスダクトを支持することが可能であることから、支持部或いは支持装置の製造コストや調達コストを低減することができる。特に、バスダクトの系統が増加するに従って、又は建築物が高層化してその階数が増加するに従って、支持部の製造コストや調達コストの低減の有利性はより顕著になる。
【００４６】
また、本発明のバスダクト支持方式或いはバスダクト支持装置では、略同一高さ若しくは同一階に於いて、一方のバスダクトを支持部で支持し、他方のバスダクトを支持部で支持せずに且つ振止部を設けない構成、或いは略同一高さ若しくは同一階に於いて、一方のバスダクトを支持部で支持し、他方のバスダクトを支持部で支持せずに振止部を設けて振れを規制する構成、或いは略同一高さ若しくは同一階に於いて、２種類の異なる支持部で一方と他方のバスダクトをそれぞれ支持する構成、或いは前記構成の組み合わせ等、様々なバスダクトの支持方式が可能であり、施工現場の状況、垂直布設されるバスダクトの容量や種類、ユーザーの希望に応じて、バスダクトの配設空間の省スペース化を実現しながら最適な支持方式で適応することができる。
【００４７】
また、本発明のバスダクト支持方式或いはバスダクト支持装置は、垂直方向に複数系統布設されるバスダクトの支持について、各階毎に床面に固定された支持部で各バスダクト毎に支持する必要を無くすことができ、床面等に対して固設されバスダクトを支持する支持部がバスダクトの長手方向にずらして設けられるものである。
【図面の簡単な説明】
【００４８】
【図１】垂直方向に並設された２系統のバスダクトを本発明のバスダクト支持方式の第１実施例で支持した状態を示す正面図。
【図２】図１のバスダクト支持方式に於ける支持部の拡大正面図。
【図３】図２の支持部の右側面図。
【図４】図２の支持部の一部横断平面図。
【図５】垂直方向に並設された３系統のバスダクトを本発明のバスダクト支持方式の第１実施例で支持した状態を示す正面図。
【図６】垂直方向に並設された２系統のバスダクトを本発明のバスダクト支持方式の第２実施例で支持した状態を示す正面図。
【図７】図６のバスダクト支持方式に於ける支持部の拡大正面図。
【図８】図７の支持部の左側面図。
【図９】図７の支持部の一部横断平面図。
【図１０】垂直方向に並設された３系統のバスダクトを本発明のバスダクト支持方式の第２実施例で支持した状態を示す正面図。
【図１１】別例の振止部を使用した第１実施例の第１変形例のバスダクト支持方式で垂直方向に並設された２系統のバスダクトを支持した状態を示す正面図。
【図１２】他の別例の振止部を使用した第１実施例の第２変形例のバスダクト支持方式で垂直方向に並設された２系統のバスダクトを支持した状態を示す一部横断平面図。
【図１３】垂直方向に並設された２系統のバスダクトを本発明のバスダクト支持方式の第３実施例で支持した状態に於ける支持部の拡大正面図。
【図１４】垂直方向に並設された３系統のバスダクトを第１実施例のバスダクト支持方式の変形例で支持した状態を示す正面図。
【図１５】垂直方向に並設された３系統のバスダクトを本発明のバスダクト支持方式の第４実施例で支持した状態を示す正面図。
【図１６】図１５に於ける下階の支持部の一部横断平面図。
【図１７】垂直方向に並設された３系統のバスダクトを第４実施例のバスダクト支持方式の第１変形例で支持した状態を示す一部横断平面図。
【図１８】垂直方向に並設された３系統のバスダクトを第４実施例のバスダクト支持方式の第２変形例で支持した状態を示す一部横断平面図。
【発明を実施するための形態】
【００４９】
次に、本発明のバスダクト支持方式及びバスダクト支持装置について、図に示す実施例により説明するが、本発明はかかる実施例に限定されるものではない。図１から図４は第１実施例のバスダクト支持方式に関するものであり、図１は垂直方向に並設された２系統のバスダクトを第１実施例のバスダクト支持方式で支持した状態を示す正面図、図２はその支持部の拡大正面図、図３は図２の支持部の右側面図、図４は図２の支持部の一部横断平面図である。
【００５０】
前提として、第１実施例及び後述する各実施例で支持されるバスダクト３０は、複数相からなる絶縁処理された導体３１をハウジングで被覆してなるものであり、例えば図１乃至図４に示すように、３線からなる絶縁被覆導体３１が並設され、絶縁被覆導体３１の幅方向の前後に断面略ロ字形のスペーサ３２が介在され、絶縁被覆導体３１及びスペーサ３２を両外側から側板３３にて挟持し、ボルト３４１及びナット３４２で締着して固定されている構成である。側板３３は、平板の両端縁から外方に略９０度で屈曲延設された第１補強片３３１と、第１補強片３３１の外側端縁を互いに向き合うように略９０度で屈曲延設された第２補強片３３２を有し、バスダクト３０の強度が保持されている。バスダクト３０は、例えば第１実施例の２系統のように、オフィスビル等の各階の床４０或いは天井を貫通して垂直方向に複数系統並設され、オフィスビル等の下方階から上方階まで電気幹線路が形成される。
【００５１】
そして、第１実施例のバスダクト支持方式は、図１に示すように、垂直方向に並設された２系統のバスダクト３０・３０を支持しており、各バスダクト３０を支持する支持部１は一階置きに床面４１に設けられ、一方のバスダクト３０を支持する支持部１が設けられている階には他方のバスダクト３０を支持する支持部１が設けられておらず、各階には一方のバスダクト３０又は他方のバスダクト３０のいずれかのみを支持する支持部１が設けられ、一方のバスダクト３０を支持する支持部１と他方のバスダクト３０を支持する支持部１は各階毎に交互に千鳥配置で設けられている。更に、一方のバスダクト３０又は他方のバスダクト３０を支持する支持部１には振止部２０が設けられ、各階で支持されていない他方のバスダクト３０又は一方のバスダクト３０を前記振止部２０で係止し、前記支持されていないバスダクト３０の少なくとも水平方向への移動を規制している。
【００５２】
第１実施例の支持部１では、図２乃至図４に示すように、断面略コ字形のチャネル部材からなる２つの第１基台２・２が、布設されたバスダクト３０の幅方向両端でバスダクト３０が貫通する床４０の貫通孔近傍の床面４１上に対向して配置され、床面４１にボルト締めで固定されている。前記対向する２つの第１基台２・２上に、断面コ字形のチャネル部材からなる２つの第２基台３・３が載置して架設され、第２基台３は第１基台２に直交してボルト及びナットで第１基台２に固定されている。更に、支持部１は、バスダクト３０の厚さ方向両側に対向して配置されている支持装置１０・１０を有し、各支持装置１０は、第２基台３の上面にバネ部材１１を介在し、バネ部材１１の上方に固定部材１２を配置して構成され、支持装置１０、或いはバネ部材１１及び固定部材１２をバスダクト３０の厚さ方向の両側に設け、固定部材１２をバスダクト３０に固定して支持する構成である。
【００５３】
バネ部材１１はバネ材１１１を挿通したボルト１１２を有し、第２基台３の上面の図に省略した挿通孔にボルト１１２の雄ねじ部の略下端が挿通され、前記挿通部分の上下に配置されたナットを締め付けることにより第２基台３とバネ部材１１とが固定される。又ボルト１１２の頭部とバネ材１１１の上端との間に後述する固定部材１２の支持片１２２が介在し、前記雄ねじ部の略中央に位置するバネ材１１１の下部にはナットが螺合され、前記ナットによりバネ材１１１の下端位置が決定され、前記下端位置のナットと支持片１２２との間にバネ材１１１が配設される。前記バネ材１１１の下端位置のナットの下方には更にナットが螺合され、バネ材１１１による前記下端位置のナットの緩みを防止している。バネ部材１１は、バスダクト３０の片側方に２つずつで両側方で全部で４つ設けられ、これら４つのバネ部材１１によりバスダクトの重さを吸収支持すると共に、熱膨張による伸びに対応している。
【００５４】
各固定部材１２は、略方形の平板で図に省略した４つのボルト挿通孔が形成されている基部１２１と、基部１２１の下端縁を略９０度で屈曲して外方に延設されている支持片１２２と、基部１２１の両側端縁を略９０度で屈曲して内方に延設されている屈曲部１２３とを有し、前記ボルト挿通孔に対応して基部１２１の内面に４つの固定金具１２４が配設されている。固定部材１２はバスダクト３０の厚さ方向両側にそれぞれ設けられ、図に省略した支持片１２２の挿通孔にボルト１１２の雄ねじ部を挿通され、ボルト１１２の頭部とバネ材１１１間に配置される支持片１２２がバネ材１１１で支持され、各々２つのバネ部材１１の略上端に取り付けられている。
【００５５】
固定部材１２のバスダクト３０への固定では、固定金具１２４を介在したボルトを第２補強片３３２の内側に配置し、第２補強片３３２の外側に基部１２１を配置して基部１２１の略側端内面と固定金具１２４で第２補強片３３２を挟持すると共に、基部１２１のボルト挿通孔に前記ボルトの雄ねじ部を挿通し、前記雄ねじ部に螺合したナットを緊締することにより、第２補強片３３２が挟持固定され、バスダクト３０の厚さ方向への振れが防止される構成である。又前記固定状態で、基部１２１の両側端に形成された屈曲部１２３の内面はバスダクト３０の第１補強片３３１の外面に当接し、第１補強片３３１は固定金具１２４の外側端と屈曲部１２３で挟持され、バスダクト３０の幅方向への振れが防止される構成である。
【００５６】
前記固定部材１２の基部１２１及び固定金具１２４でバスダクト３０の厚さ方向への移動が規制され、屈曲部１２３が第１補強片３３１を保持することによりバスダクト３０の幅方向への移動が規制されるので、バスダクト３０全体の水平方向への移動が規制される。また、基部１２１と固定金具１２４との第２補強片３３２の挟持でバスダクト３０と固定部材１２を固定状態にすることにより、バスダクト３０の重さを固定部材１２の下端を支持しているバネ材１１１で吸収支持することができ、又熱膨張によるバスダクト３０の伸びに対応することが可能である。また、前記固定部材１２のバスダクト３０への固定及び支持部１或いは支持装置１０によるバスダクト３０の支持によって、バスダクト３０のハウジングにボルト挿通孔等の孔開け加工が不要となり、加工作業を容易化しコストダウンを図ることが可能な構成である。
【００５７】
また、支持部１或いは支持装置１０に設けられる振止部２０は、略長方形平板状の振止基部２１と、振止基部２１の外側端から上方に略９０度屈曲して延設されている振止片２２と、振止片２２の略両側部に配置されている断面鉤型で一対の振止固定金具２３とを有し、振止基部２１は、図に省略した挿通孔にバネ部材１１のボルト１１２の雄ねじ部を挿通され、振止基部２１が載置されている第２基台３の上面と供にナット間に挟持されて緊締され、第２基台３の上面に第２基台３とバネ部材１１とを固定するナットで同時に固定されており、又振止固定金具２３は、その基部を振止片２２に挿通されたボルトとナットにより、振止片２２に固定されている。
【００５８】
前記振止部２０は、任意の階において、支持部１で支持されているバスダクト３０と隣り合う支持部１で支持されていない別のバスダクト３０に係止される。振止部２０は前記係止状態において、図２に示すように、振止片２２の外側面と前記別のバスダクト３０の支持部１側に位置する第２補強片３３２の外側面とが当接し、振止固定金具２３の鉤部が、前記別のバスダクト３０の第１補強片３３１の外側面、スペーサ３２の外側面、支持部１０と逆側に位置する第２補強片３３２の外側面に当接し、その先端の屈曲部分で前記逆側の第２補強片３３２の端縁を係止するように形成されている。
【００５９】
前記バスダクト３０を係止する振止部２０は、床面４１に対して固定されている第２基台３に固定されることで床面４１に対して固定状態となり、前記固定状態の振止部２０を前記別のバスダクト３０に係止することによって、前記振止部２０が設けられている支持部１或いは支持装置１０で支持されているバスダクト３０の重さや熱膨張による伸びに左右されずに、前記別のバスダクト３０の少なくとも水平方向への移動を確実に規制することが可能な構成である。
【００６０】
更に、第１実施例のバスダクト支持方式は、２系統よりも多い複数系統のバスダクト３０が垂直方向に並設された場合にも対応することが可能である。例えば図５に示すように、第１実施例に於ける支持部１或いは支持装置１０を使用して垂直方向に並設された３系統のバスダクト３０を支持する場合、支持部１を正面視千鳥配置で各階に配設し、中央のバスダクト３０を支持部１で支持している階では、前記支持部１で両側に位置する第２基台３・３の上面に、両隣のバスダクト３０・３０の振れを規制する振止部２０・２０をそれぞれ設け、両外側のバスダクト３０・３０を支持部１・１でそれぞれ支持している階では、少なくともどちらか一方の支持部１の第２基台３の上面に、中央のバスダクト３０の振れを規制する振止部２０を設ける構成等とする。
【００６１】
尚、両外側のバスダクト３０・３０の支持部１・１の第２基台３・３の上面に振止部２０・２０を設けて中央のバスダクト３０の振れを規制する構成であっても良く、この場合は、例えば片側の振止部２０の振止片２２を長くし、振止固定金具２３の位置をバスダクト３０の長さ方向にずらして配置すると好適であり、前記構成により振止力を向上することができる。又同様に、４系統以上のバスダクト３０が垂直に並設される場合にも、支持部１を正面視千鳥配置で各階に配設し、任意の階に於いて、支持部１で支持されているバスダクト３０と隣り合う支持のないバスダクト３０の振れを振止部２０で規制する構成とする。尚、各実施例の一部の構成は適宜他の実施例の構成にすることができる。
【００６２】
上記第１実施例のバスダクト支持方式により、各階で支持部１で支持されていないバスダクト３０についても少なくとも水平方向への移動を規制でき、支持部１で支持されているバスダクト３０の重さや熱膨張に対する伸びに関係なく、振れ止めを行うことができる。また、床面４１の支持部１・１により隣り合うバスダクト３０・３０の支持をそれぞれ行う方式では、例えば図示の狭い間隔で第２基台３、バネ部材１１、固定部材１２やその支持片１２２等を設置することが不可能となるが、上記支持方式では、各階で床面４１の支持部１で支持されているバスダクト３０と隣り合うバスダクト３０に対して床面４１の支持部１による支持は行わないので、例えば図示の狭い間隔でも必要な支持部１或いは支持装置１０は設置可能であり、かような問題は生ぜず、隣り合うバスダクト３０・３０の間隔が狭い場合に対処でき施工現場に対する適応性に優れる。
【００６３】
また、各階毎で交互に支持部１を設置することにより、全てのバスダクト３０に対して階毎に支持部１を設ける支持方式よりも、隣り合うバスダクト３０・３０の並設間隔を狭くし、より省スペースでバスダクト３０を並設することが可能となり、バスダクト３０を並設する為の無駄な空間を極力低減し最小空間でバスダクト３０を支持することができる。また、複雑な構成の支持部１が隣り合わないので、バスダクト３０・３０相互の並設間隔を省スペース化した場合であっても、布設したバスダクト３０の支持部１の設置作業を行うのに十分な空間を確保することができる。十分な設置作業スペースが確保されることで必要な設置労力も低減できる。
【００６４】
また、全てのバスダクト３０に対して階毎に支持部１を設ける場合に比し、支持部１の数を約１／２に減らすことが可能となり、また施工時における支持部１の設置作業やバネ部材１１の調節作業に要する労力を約半分に減らし、設置作業などの労力を低減することができると共に、支持部１の製造コストや施工コスト等をコストダウンし、並設したバスダクト３０を安価に支持することが可能となる。
【００６５】
次に、第２実施例のバスダクト支持方式について上記第１実施例と異なる箇所を中心に説明する。図６から図９までは第２実施例のバスダクト支持方式に関するものであり、図６は垂直方向に並設された２系統のバスダクトを第２実施例のバスダクト支持方式で支持した状態を示す正面図、図７はその支持部の拡大正面図、図８は図７の支持部の左側面図、図９は図７の支持部の一部横断平面図である。
【００６６】
本実施例で垂直方向に並設されているバスダクト３０は、第１実施例のバスダクト３０と同種であり、図６に示すように、第１実施例と同様にして、垂直並設された２系統のバスダクト３０の一方又は他方のいずれかのみを支持する支持部１ａが各階に設けられ、各階毎の支持部１ａは正面視千鳥配置で交互に設けられている。各階では、支持部１ａで支持されていない他方のバスダクト３０又は一方のバスダクト３０は、支持部１ａに設けられた振止部２０ａで係止され、少なくとも水平方向への移動が規制されている。
【００６７】
支持部１ａでは、図７に示すように、断面略コ字形のチャネル部材からなる２つの第１基台２ａ・２ａが、布設されたバスダクト３０厚さ方向両側で且つバスダクト３０が貫通する床４０の貫通孔近傍の床面４１上に対向して配置され、床面４１にボルト締めで固定されている。前記対向する２つの第１基台２ａ・２ａ上に、断面略コ字形のチャネル部材からなる２つの第２基台３ａ・３ａが載置して架設され、第２基台３ａは第１基台２ａに直交してボルト及びナットで第１基台２ａに固定されている。更に、支持部１ａは、バスダクト３０の幅方向両側に対向して配置されている支持装置１０ａ・１０ａを有し、各支持装置１０ａは、第２基台３ａの上面にバネ部材１１ａを介在し、バネ部材１１ａの上方に固定部材１２ａを配置し、支持装置１０ａ、或いはバネ部材１１ａ及び固定部材１２ａをバスダクト３０の幅方向の両側に設け、固定部材１２ａをバスダクト３０に固定して支持する構成である。
【００６８】
バネ部材１１ａの構成は第１実施例のバネ部材１１と同様で、バネ材１１１ａを挿通したボルト１１２ａを有し、バスダクト３０の幅方向片側に２つずつで両側で合計４つ設けられ、第１実施例と同様の方式で第２基台３ａ上に載置固定されている。固定されたバネ部材１１ａの上部には固定部材１２ａが設けられており、前記固定部材１２ａは、略方形平板の両上方各を面取りした形状で４つのボルト挿通孔が開口している基部１２１ａと、基部１２１ａの下端縁から外方に略９０度で屈曲して延設されている支持片１２２ａを有し、基部１２１ａがバスダクト３０の幅方向両端面にそれぞれ接するように配置され、支持片１２２ａを介在してバネ部材１１ａに取り付けられ支持されている。
【００６９】
更に基部１２１ａの内面の左右の略側部には断面略コ字形の固定金具１２４ａが内側に対して凸状になるように配設されており、各固定金具１２４ａは基部１２１ａの略側部の上下に位置する２つのボルト挿通孔から挿通されたボルト及びナットを緊締して固定されている。前記固定金具１２４ａをバスダクト３０に取り付けた状態では、固定金具１２４ａの内側側面がバスダクト３０の第２補強片３３２を跨いだ状態とし、且つ前記内側側面の先端が第１補強片３３１に当接するように配設して、前記ボルト及びナットの緊締により第１補強片３３１を固定金具１２４ａと基部１２１ａで挟持して固定する。
【００７０】
前記固定部材１２ａの基部１２１ａ及び固定金具１２４ａによりバスダクト３０全体の水平方向への移動を規制することができる。また、前述の如くバスダクト３０の重さをバネ材１１１ａで吸収支持することができ、又熱膨張によるバスダクト３０の伸びに対応することが可能である。また、前記固定部材１２ａのバスダクト３０への固定及び支持部１ａによるバスダクト３０の支持により、第１実施例と同様に、バスダクト３０のハウジングにボルトの挿通孔等の孔開け加工が不要となり、加工作業を容易化してコストダウンを図ることが可能な構成である。
【００７１】
また、支持部１ａに設けられる振止部２０ａは、ボルト１１２ａを挿通して第２基台３ａ上面に固定される略長方形平板状の振止基部２１ａと、振止基部２１ａの内側端から上方に略９０度で屈曲して延設されている振止片２２ａと、振止片２２ａの内面に固定される断面鉤型の振止固定金具２３ａとを有し、前記振止基部２１ａは第２基台３ａとバネ部材１１ａとを固定するナットで同時に固定され、又前記振止固定金具２３ａは、その基部をボルト及びナットの緊締により振止片２２ａに固定される。振れを規制する対象であるバスダクト３０に振止部２０ａを取り付けた状態では、前記バスダクト３０の第２補強片３３２を振止固定金具２３ａの鉤部が跨いで、前記鉤部の内面に前記第２補強片３３２の先端が当接し、前記第２補強片３３２が前記鉤部と振止片２２ａで挟持固定され、前記バスダクト３０の第１補強片３３１の外側面及びスペーサ３２の外側面に振止片２２ａの内面が接する構成である。
【００７２】
前記振止部２０ａは、任意の階において、支持部１ａ或いは支持装置１０ａで支持されているバスダクト３０と隣り合う支持部１ａ或いは支持装置１０ａで支持されていない別のバスダクト３０に係止され、床面４１に対して固定されている第２基台３ａに固定されることで床面４１に対して固定状態になっていることから、前記振止部２０ａが設けられている支持部１ａで支持されているバスダクト３０の重さや熱膨張による伸びに左右されずに、前記別のバスダクト３０の少なくとも水平方向への移動を確実に規制することが可能な構成である。
【００７３】
更に、例えば図１０に示すように、第２実施例に於ける支持部１ａ或いは支持装置１０ａを使用して垂直方向に並設された３系統のバスダクト３０を支持する場合は、支持部１ａ或いは支持装置１０ａを正面視千鳥配置で各階に配設し、中央のバスダクト３０を支持部１ａ或いは支持装置１０ａで支持している階では、第２基台３ａの上面に両隣のバスダクト３０・３０間の長さを若干超える長さの振止基部２１ａ或いは振止片２２ａを有する振止部２０ａを設け、前記支持部１ａ或いは支持装置１０ａのバネ部材１１ａと第２基台３ａとの固定部分に振止基部２１ａを固定して、振止片２２ａの両側に設けた振止固定金具２３ａで両隣のバスダクト３０の振れを規制している。また、両外側のバスダクト３０・３０を支持部１ａ・１ａでそれぞれ支持している階では、両支持部１ａ・１ａのバネ部材１１ａ・１１ａと第２基台３ａとの固定部分に上記振止基部２１ａより短い振止基部２１ａを固定して、その振止片２２ａの略中央に設けた振止固定金具２３ａで中央のバスダクト３０の振れを規制している。
【００７４】
この場合に、バネ部材１１ａを介した振止基部２１ａと第２基台３ａとの固定箇所は２箇所あればよく、例えば一つのバスダクト３０に対する２つのバネ部材１１ａの第２基台３ａへの固定箇所を使用しても、或いは両外側或いは両隣等のバスダクト３０に対する２つのバネ部材１１ａの第２基台３ａへの固定箇所から１箇所ずつ使用しても、或いは全ての固定箇所を使用しても良い。又同様に、４系統以上のバスダクト３０が垂直に並設される場合にも、支持部１ａを正面視千鳥配置で各階に配設し、任意の階に於いて、支持部１ａで支持されているバスダクトと隣り合う支持のないバスダクト３０の振れを振止部２０ａで規制する構成とする。
【００７５】
上記第２実施例のバスダクト支持方式により、各階で支持部１ａ或いは支持装置１０ａで支持されていないバスダクト３０についても少なくとも水平方向への移動を規制でき、支持部１ａ或いは支持装置１０ａで支持されているバスダクト３０の重さや熱膨張に対する伸びに関係なく、振れ止めを行うことができる。また、床面４１の支持部１ａ・１ａにより隣り合うバスダクト３０・３０の支持をそれぞれ行う方式では、例えば図示の狭い間隔で第２基台３ａ、バネ部材１１ａ、固定部材１２ａやその基部１２１ａ等を設置することが不可能となるが、上記支持方式では、各階で床面４１の支持部１ａ或いは支持装置１０ａで支持されているバスダクト３０と隣り合うバスダクト３０に対して床面４１の支持部１ａ或いは支持装置１０ａによる支持は行わないので、例えば図示の狭い間隔でも必要な支持部１ａ或いは支持装置１０ａは設置可能であり、かような問題は生ぜず、隣り合うバスダクト３０・３０の間隔が狭い場合に対処でき施工現場に対する適応性に優れる。
【００７６】
また、各階毎に交互に支持部１ａを設けることにより、全てのバスダクト３０に対して階毎に支持部１ａを設ける支持方式よりも、隣り合うバスダクト３０・３０の並設間隔を狭くし、より省スペースでバスダクト３０を並設することが可能となり、バスダクト３０を並設する為の無駄な空間を極力低減し最小空間でバスダクト３０を支持することができる。また、複雑な構成の支持部１ａが隣り合わないので、バスダクト３０・３０相互の並設間隔を省スペース化した場合であっても、布設したバスダクト３０の支持部１ａ或いは支持装置１０ａの設置作業を行うのに十分な空間を確保することができる。十分な設置作業スペースが確保されることで必要な設置労力も低減できる。例えばバネ部材１１ａの数が多く、固定部材１２ａがバスダクト３０の厚さ方向に大型化する場合等であっても、支持部１で支持されるバスダクト３０は隣り合うバスダクト３０・３０の一方のみであることから、バスダクト３０・３０の布設間隔を狭くすることが可能で、省スペース化を実現することができる。
【００７７】
また、第１実施例と同様に、全てのバスダクト３０に対して階毎に支持部１ａ或いは支持装置１０ａを設ける場合に比し、支持部１ａ或いは支持装置１０ａの数を約１／２に減らすことが可能となり、また施工時における支持部１ａ或いは支持装置１０ａの設置作業やバネ部材１１ａの調節作業に要する労力を約半分に減らし、設置作業等の労力を低減することができると共に、支持部１ａ或いは支持装置１０ａの製造コストや施工コスト等をコストダウンし、並設したバスダクト３０を安価に支持することが可能となる。
【００７８】
以上、本発明のバスダクト支持方式の第１実施例及び第２実施例について説明したが、本発明は上記実施例に限定されるものではなく、様々な拡張や変形が可能である。例えば支持するバスダクトは上記実施例のものに限定されず、異相導体間を一定距離開けてなる空気絶縁型バスダクトであってもよく、又そのハウジングの構成も上記実施例に限定されず、又支持するバスダクトは上記実施例の３線式に限定されず、２線式以下のバスダクト或いは４線式以上のバスダクトであってもよい。
【００７９】
また、支持部も同様に上記実施例に限定されず、バネ材に代えて緩衝材が設けられるもの、又は固定部材を直接バスダクトハウジングにボルト及びナット等の締着具で固定するもの等としてもよく、又その構成部材の個数や形状なども上記実施例に限定されるものではない。また、支持部或いは支持装置と振止部の固定箇所についても、上記実施例に限定されるものではないが、床面に対して固定状態にある箇所が好適であり、更にはバスダクトの系統毎に伸びや収縮率が異なるので、支持部により支持されているバスダクトの重さや熱膨張による伸びや、その収縮によって影響が出ない箇所とすると良い。例えば、第１基台上、第２基台上、床面上などバネ材より下方とすると好適である。
【００８０】
例えば支持部或いは支持装置や振止部を第１基台上に設ける場合の例として図１１に示す例等がある。本例の支持部１ｂ或いは支持装置１０ｂには上記第１実施例の支持部１或いは支持装置１０と同様のものが使用されており、支持部１ｂ或いは支持装置１０ｂは床面４１上に設置された第１基台２ｂ上に第２基台３ｂが固設され、第２基台３ｂ上にバネ部材１１ｂ及び固定部材１２ｂが設けられ、各支持部１ｂとして、支持装置１０ｂ・１０ｂがバスダクト３０の厚さ方向の両側で対向して配設されている。又、振止部２０ｂは断面略Ｌ字形の金具であり、略長方形平板状の振止基部２１ｂと、振止基部２１ｂの側端から上方に略９０度屈曲して上方に延設されている振止片２２ｂを有し、振止基部２１ｂは第１基台２ｂの上面にボルト及びナット等を緊締して固定され、振止片２２ｂはバスダクト３０の第１補強片３３１に当接し、第２実施例の振止固定金具２３ａと同様の振止固定金具（図示せず）を使用して、前記振止固定金具の鉤部がバスダクト３０の第２補強片３３２を跨ぐ状態とし、前記第２補強片３３２が前記鉤部と振止片２２ｂで挟持固定されている。振止部２０ｂはバスダクト３０の幅方向の両側にそれぞれ設けられ、バスダクト３０の幅方向両端部から振止部２０ｂ・２０ｂで振れを規制する構成である。振止部により、支持部の構成に関係なく、振れ止めが可能となり施工性が向上する効果が得られる。
【００８１】
尚、前記例の振止部２０ｂは、バスダクト３０の幅方向の両側にそれぞれ設けられ、振れを規制する構成について説明したが、バスダクト３０の幅方向の片側にのみ振止部２０ｂを設け、バスダクト３０の幅方向の片端部のみの振止部２０ｂで振れを規制する構成としてもよい。バスダクト３０の幅方向の片側だけに振止部２０ｂを設ける場合には、正面視で前面に位置するバスダクト３０の幅方向の片側に振止部２０ｂを設けると、振止部２０ｂの設置が前面のみで済み、手の届きにくい裏面に振止部２０ｂを設置する必要が無くなり、施工性を向上することができると共に、部品点数を少なくすることが可能となって好適である。又、同様の構成で第２実施例の第２基台３ａ上に振止部２０ｂを設ける場合にも同様の有利性が得られる。
【００８２】
また、振止部も上記実施例に限定されるものではなく、少なくとも水平方向へのバスダクトの移動を規制可能なものであれば全て本発明に含まれ、例えば図１２に示すような振止部２０ｃとしても良い。振止部２０ｃは、第１実施例のバスダクト支持方式の変形例に用いられており、その振止基部２１ｃ及び振止片２２ｃは第１実施例に於ける振止基部２１及び振止片２２と同一構成であるが、振止固定金具が無い。振止部２０ｃには、バスダクト３０の厚さ方向端面で振止片２２ｃに当接しない面側である第２補強片３３２の外面に平板の押さえ板２４ｃが設けられ、前記押さえ板２４ｃと振止片２２ｃとに挿通された長ボルト２５ｃ及びナットを緊締し、第２補強片３３２を振止片２２ｃと押さえ板２４ｃとで挟持固定することにより、バスダクト３０の厚さ方向への移動が規制される。この場合に長ボルト２５ｃをバスダクト３０の第１補強片３３１の外面とスペーサ３２の外面とに接するように設けることにより、バスダクト３０の幅方向への移動も規制され、全体的にバスダクト３０の水平方向への移動が規制される。本例の振止部２０ｃにより、上記実施例の振止部２０、２０ａ、２０ｂに比して、振れの規制をより強固且つ確実に行うことができる。尚、前記変形例の他の構成は第１実施例と同様であり、１ｃは支持部、１０ｃは支持装置、２ｃは第１基台、３ｃは第２基台である。
【００８３】
また、上記実施例では、支持部のバネ部材をバスダクト毎に４つ設ける構成について説明したが、バスダクトの容量や種類等に応じて２つ或いは６つ以上としてもよい。バネ部材を２つにして振止部の振止基部と第２基台との固定箇所が一箇所になる場合には、バネ部材のボルト以外のボルトとナットを用い、そのボルト及びナットで第２基台と振止基部を直接固定する等適宜である。
【００８４】
また、上記第２実施例では、図９に示すように、バスダクト３０の幅方向の両側に振止固定金具２３ａ或いは振止部２０ａをそれぞれ設けて、バスダクト３０の振れ止めを行う例を示したが、バスダクト３０の幅方向の片側のみに振止固定金具２３ａ或いは振止部２０ａを設けて、少なくとも一方のみで振れ止めする構成とすることが可能であり、かかる構成で部品点数を減らしてコストダウンを図ることができると共に、例えば支持部や振止部の設置作業時にバスダクトの正面のみ設置作業を行って振れ止めすればよく、手の届きにくい裏面に設置する必要が無くす等により、作業性を向上できる。同様に第１実施例の場合にも、片側のみに振止固定金具２３或いは振止部２０を設けて同様の有利性が得られる。
【００８５】
また、本発明のバスダクト支持方式には支持部をバスダクト長さ方向にずらして設ける構成が全て含まれるので、第１実施例及び第２実施例の振止部を設けない構成も含まれ、振止部を設けない構成とすることにより、より製造コスト及び施工コストを削減することができる。また、例えば図１３に示す第３実施例のバスダクト支持方式のように、支持部１ｄ或いは支持装置１０ｄを各階の床面４１及び天井面４２に設け、支持部１ｄ或いは支持装置１０ｄをバスダクト３０の長さ方向にずらす構成としてもよい。前記支持部１ｄ或いは支持装置１０ｄは基本的に第１実施例に於ける支持部１或いは支持装置１０と同一構成であるが、床面４１に設置されている支持部１ｄには振止部が設けられておらず、又天井面４２に設置されている支持部１０ｄには第１基台２ｄ、第２基台３ｄが無く、代わりに天井面４２に固設された箱体４ｄの底面或いは支持体に支持部１ｄ或いは支持装置１０ｄが固定されている。前記箱体４ｄ或いは支持体による固定で天井面４２の支持部１ｄ或いは支持装置１０ｄを容易に設置することができる。
【００８６】
また、上記実施例では、床貫通孔の防火処理の関係上等により第１及び第２基台を設ける構成で説明したが、防火処理方法によっては基台を用いない構成とすることも可能で、例えば直接床面にバネ部材を固定する構成とすることができ、又振止部を有する構成であれば、更にバネ部材と一体で或いは別体で振止部を直接的若しくは間接的に床面に対して固定する構成とすることができ、或いは逆に第３以上の基台を設ける構成とすることも可能であり、適宜の支持部の設置構成を採用できる。また、垂直並設された３系統以上の複数系統のバスダクトを第１実施例のバスダクト支持方式で支持する場合に、例えば図１４に示すように、一つの長さが長い第１基台２ｅを各階に使用する構成とする等、適宜の構成を採用できる。尚、１ｅは支持部、１０ｅは支持装置、２０ｅは振止部である。
【００８７】
また、上記実施例は１階毎に支持部を設ける構成について説明したが、上記実施例に限定されるものではなく、例えば２階以上毎に支持部を設ける構成、或いはランダムに支持部を設ける構成、又は２系統のバスダクトの容量若しくは重量が異なれば、一方の小容量若しくは小重量であるバスダクトを２階毎に支持部で支持し、他方の大容量若しくは大重量であるバスダクトを前記一方のバスダクトが支持部で支持されていない階で支持部で支持する構成にしてもよく、少なくとも隣り合うバスダクト相互の支持部が長手方向にずれていれば全て本発明に含まれる。これにより、従来のバスダクト支持方式に比べ、支持部の数量を半分以下にすることが可能になり、製造コストや調達コスト、或いは施工コストをより低減することができる。
【００８８】
次に、本発明の第４実施例について、主に第１実施例及び第２実施例と異なる箇所を中心に説明する。図１５及び図１６は第４実施例のバスダクト支持方式に関し、図１５は垂直方向に並設された３系統のバスダクトを第４実施例のバスダクト支持方式で支持した状態を示す正面図、図１６は図１５の下階の支持部の一部横断平面図である。尚、本実施例では、防火処理の図を省略していると共に、３系統布設されるバスダクトを支持する場合について説明しているが、本発明には２系統、或いは４系統以上布設されるバスダクトを支持する場合も含まれる。
【００８９】
本実施例のバスダクト支持方式では、左右両側のバスダクト３０・３０の外側間より長い第１基台２ｆ及び第２基台３ｆが設けられ、第１基台２ｆ及び第２基台３ｆは第１実施例の第１基台２及び第２基台３の配設状態と同様に配設されている。そして、第２実施例の支持部１ａと同一構成である第一支持部５を、第１基台２ｆ上にボルト及びナット等を緊締することにより固定し、第１実施例の支持部１と類似構成である第二支持部６を、第２基台３ｆ上にボルト及びナット等を緊締することにより固定し、バスダクト３０の幅方向両側にそれぞれ第一支持部５を設けて、中央若しくは左右両側のバスダクト３０を支持すると共に、バスダクト３０の厚さ方向両側にそれぞれ第二支持部６を設けて、左右両側若しくは中央のバスダクト３０で第一支持部５で支持されていないバスダクト３０を支持する。即ち、同一階或いは略同一高さに於いて、隣り合うバスダクト３０・３０相互はそれぞれを支持する支持部が異なっており、２種類の支持部である第一支持部５と第二支持部６が交互に設けられている。５０は第一支持装置、６０は第２支持装置であり、それぞれ対向して設けられ、第一支持部５、第二支持部６を構成している。
【００９０】
尚、第二支持部６と第１実施例の支持部１との相違点は、第二支持部６は支持片６２２の幅を隣り合うバスダクト３０を支持する第一支持部５の固定金具５２４・５２４相互間に配設可能な大きさに形成し、これに対応してバネ部材６１・６１の配設間隔を狭くした点にあり、かかる構成によってバスダクト３０・３０の布設間隔をより狭くすることが可能になっており、他の構成は支持部１と同様である。又、本実施例も上記第１実施例から第３実施例と同様に、床面などに直接支持部を固定する構成、或いは第１基台のみを設ける構成、或いは第３基台以上設ける構成等の適宜の変更が可能である。
【００９１】
更に、本実施例では図１５の下階で、中央のバスダクト３０を第一支持部５で支持して、その両サイドのバスダクト３０をそれぞれ第二支持部６で支持すると共に、前記下階の一つ上階では、中央のバスダクト３０を第二支持部６で支持して、その両サイドのバスダクト３０をそれぞれ第一支持部５で支持し、同一のバスダクト３０を階毎に第一支持部５と第二支持部６とで交互に支持する構成、或いは下階の第一支持部５若しくは第二支持部６又は第一支持部５及び第二支持部６の千鳥配置を下階の一つ上階の千鳥配置と異ならせて支持する構成とし、バスダクト３０に対する支持力、保持力を前後左右でバランスが取れたものとし、安定したバスダクト３０の支持が可能な構成である。即ち、正面視で、第一支持部５・５と第二支持部６と、又は第一支持部５と第二支持部６・６とが、デルタ状に配置されることにより、バスダクト３０の安定性を向上させることができる。尚、下階の第一支持部５と第二支持部６の千鳥配置をその一つ上階の千鳥配置と同一とすることも可能であり、又２階毎に第一支持部５と第二支持部６の配置を変更する等適宜の構成が可能であり、又上記実施例の支持部若しくは振止部又は支持部及び振止部も前記と同様の千鳥配置をすることが可能である。
【００９２】
前記構成により、隣り合うバスダクト３０・３０相互間において、支持部のバネ部材５１、６１や、固定部材５２、６２や、その支持片５２２、６２２等同士が干渉することが無くなり、第１実施例及び第２実施例と同様に、バスダクト３０・３０相互の並設間隔を省スペース化することができると共に、布設されるバスダクト３０の支持部、或いは第一支持部５と第二支持部６の設置作業を行うのに十分な空間を確保することができる。十分な設置作業スペースが確保されることで必要な設置労力も低減できる。
【００９３】
また、第４実施例の支持部は、第一支持部５と第二支持部６の支持力を異ならせる等適宜であり、例えば図１７に示すように、第一支持部５をバスダクト３０の正面視前面のみに第一支持装置５０を設ける等適宜であり、部品点数を減らすことが可能となると共に、例えば裏面など手が届きにくい場所への設置を行う必要が無くなり、施工労力を低減することが可能となる。尚、当然に、第一支持部５の第一支持装置５０をバスダクト３０の幅方向両側にそれぞれ設けて支持し、第二支持部６の第２支持装置６０をバスダクト３０の厚さ方向片側のみに設けて支持する構成としてもよい。又、他の実施例でも同様に、各支持部を構成する支持装置の個数や配設状態は適宜とすることが可能であり、例えば単一の支持装置で支持部を構成することができる。
【００９４】
更に、例えば図１８も示すように、第一支持部５をバスダクト３０の幅方向片側に第一支持装置５０を設けるものとし、第一支持装置５０の支持片５２２を支持するバネ部材５１或いはそのバネ材を１つとする構成、又、第一支持部５をバスダクト３０の幅方向両側にそれぞれ第一支持装置５０・５０を設けるものとし、各第一支持装置５０の支持片５２２を支持するバネ部材５１或いはそのバネ材を１つとし、前後の第一支持装置５０・５０の合計２つのバネ部材５１・５１若しくはそれらのバネ材で支持する構成にする等適宜であり、例えば多少の支持をすれば良い場合、或いはバスダクトの容量や重量の違いや、種類の違い等に容易に対応することができ、如何なる施工現場にも対応することが可能である。尚、第二支持部６の第二支持装置６０の支持片６２２を支持するバネ部材６１若しくはそのバネ材を１つずつのみにする構成、或いは第一支持部５の第一支持装置５０のバネ部材５１若しくはそのバネ材と、第二支持部６の第二支持装置６０のバネ部材６１若しくはそのバネ材との対応を、「３つずつと１つずつ」若しくは「一つずつと３つずつ」など適宜の構成にすることが可能である。また、別例として、バネ定数の異なるバネ材を第一支持部５の第一支持装置５０と第二支持部６の第二支持装置６０に使用する等適宜である。
【００９５】
尚、本発明に於けるバスダクト支持装置は、例えば第１実施例乃至第３実施例の支持部若しくは支持装置と振止部を一体に有する装置を含み、上記実施例のバスダクト３０を支持する支持部の配置以外等、その配置如何に関わらず、支持部と振止部を一体で有し、一のバスダクトを支持部で支持し、一のバスダクトと隣り合う他のバスダクトを振止部で振れを規制する装置を含む。
【産業上の利用可能性】
【００９６】
本発明は、高層ビル等の構造物で電気幹線路を構成するバスダクトの支持に利用することができる。
【符号の説明】
【００９７】
１…支持部  ２…第１基台  ３…第２基台  １０…支持装置  １１…バネ部材  １１１…バネ材  １２…固定部材  １２１…基部  １２２…支持片  １２４…固定金具  ２０…振止部  ２１…振止基部  ２２…振止片  ２３…振止固定金具  ３０…バスダクト  ４１…床面  ４２…天井面  ５…第一支持部  ６…第二支持部
【図１】
2011015607.tif 000003
【図２】
2011015607.tif 000004
【図３】
2011015607.tif 000005
【図４】
2011015607.tif 000006
【図５】
2011015607.tif 000007
【図６】
2011015607.tif 000008
【図７】
2011015607.tif 000009
【図８】
2011015607.tif 000010
【図９】
2011015607.tif 000011
【図１０】
2011015607.tif 000012
【図１１】
2011015607.tif 000013
【図１２】
2011015607.tif 000014
【図１３】
2011015607.tif 000015
【図１４】
2011015607.tif 000016
【図１５】
2011015607.tif 000017
【図１６】
2011015607.tif 000018
【図１７】
2011015607.tif 000019
【図１８】
2011015607.tif 000020